(57)【要約】【課題】インソール自体がつま先側に移動し難く、かつ人の足もつま先側に移動し難く、人が疲れ難いインソールを提供する。【解決手段】本発明のインソールは、本体１０と、内側凸部１１と、外側凸部１３とを備えている。本体１０は、パンプスＰの中底Ｐ１と当接する。また、本体１０は、踵Ｆ１を支持する踵支持部２０を少なくとも有している。内側凸部１１は、踵支持部２０から幅方向の内側に突出してパンプスＰの内側腰裏Ｐ２と当接している。内側凸部１１は、踵骨被覆部Ｆ６の内側凹部Ｆ７と当接する。また、外側凸部１３は、踵支持部２０から幅方向の外側に突出してパンプスＰの外側腰裏Ｐ３と当接している。外側凸部１３は、踵骨被覆部Ｆ６の外側凹部Ｆ８と当接する。【選択図】図１
2019150275.tif 000002
【特許請求の範囲】
【請求項１】
パンプスの中底と当接し、人の踵を支持する踵支持部を少なくとも有する本体と、
前記踵支持部から幅方向の内側に突出して前記パンプスの内側腰裏と当接し、踵骨を覆う踵骨被覆部の内側凹部と当接する内側凸部と、
前記踵支持部から幅方向の外側に突出して前記パンプスの外側腰裏と当接し、前記踵骨被覆部の外側凹部と当接する外側凸部とを備えていることを特徴とするパンプス用インソール。
【請求項２】
前記内側凸部は前記踵骨被覆部の内側凹部に向かい、前記外側凸部は前記踵骨被覆部の外側凹部に向かい、それぞれ半球状に膨出している請求項１記載のパンプス用インソール。
【請求項３】
前記本体は、前記踵支持部と一体をなしてつま先側に延びる延長部を有し、
前記踵支持部と前記延長部との間には、前記パンプス内で前記人の前記踵を前記つま先側で支持する支持凸部が設けられている請求項１又は２記載のパンプス用インソール。
【請求項４】
前記踵支持部には、前記人の前記踵を収納する収納部が形成されている請求項１乃至３のいずれか１項記載のパンプス用インソール。
【請求項５】
前記本体は、前記踵支持部と一体をなしてつま先側に延びる延長部を有し、
前記延長部の先端には、足指の付け根に向かって突出する指枕部が形成されている請求項１乃至４のいずれか１項記載のパンプス用インソール。
【請求項６】
前記延長部には、土踏まずに向かって隆起する隆起部が形成されている請求項１乃至５のいずれか１項記載のパンプス用インソール。
【発明の詳細な説明】
【技術分野】
【０００１】
本発明はパンプス用インソールに関する。
【背景技術】
【０００２】
特許文献１に従来のインソールが開示されている。このインソールは、パンプスの中底と当接する踵支持部を有している。踵支持部には踵を収納する略円形の穴が形成されている。
【０００３】
このインソールでは、踵支持部が人の踵を好適に支持する。また、このインソールでは、つま先側と踵側との高低差があるパンプスであっても、踵支持部が踵抜けを防止するとともに、足がつま先側に滑ることを抑制できる。
【先行技術文献】
【特許文献】
【０００４】
【特許文献１】実用新案登録第３１８３９５０号公報
【発明の概要】
【発明が解決しようとする課題】
【０００５】
しかし、上記従来のインソールでは、歩行中にインソール自体がパンプスの中底の傾斜により足と中底との間で滑り、インソールがつま先側に移動し易い。この場合、インソールの踵支持部がその機能を果たさないこととなってしまう。
【０００６】
また、このインソールでは、踵支持部が踵抜けを防止し難く、足もつま先側に移動し易い。この場合、人は、パンプス内でつま先が窮屈になり易い。
【０００７】
本発明は、上記従来の実情に鑑みてなされたものであって、パンプスに用いた場合に、インソール自体がつま先側に移動し難く、かつ人の足もつま先側に移動し難く、人が疲れ難いインソールを提供することを解決すべき課題としている。
【課題を解決するための手段】
【０００８】
本発明のインソールは、パンプスの中底と当接し、人の踵を支持する踵支持部を少なくとも有する本体と、
前記踵支持部から幅方向の内側に突出して前記パンプスの内側腰裏と当接し、前記人の踵骨を覆う踵骨被覆部の内側凹部と当接する内側凸部と、
前記踵支持部から幅方向の外側に突出して前記パンプスの外側腰裏と当接し、前記踵骨被覆部の外側凹部と当接する外側凸部とを備えていることを特徴とする。
【０００９】
人の足には踵骨を覆っている踵骨被覆部があり、その内側前部にやや表面から凹んだ内側凹部があり、その外側前部にやや表面から凹んだ外側凹部がある。本発明のインソールをパンプスに装着して人がパンプス内に足を入れれば、内側凸部がパンプスの内側腰裏と当接しつつ、踵骨被覆部の内側凹部と当接する。また、外側凸部がパンプスの外側腰裏と当接しつつ、踵骨被覆部の外側凹部と当接する。このため、歩行中にインソール自体がパンプスの中底の傾斜により足と中底との間で滑ろうとしても、そのインソールの移動を人の内側凹部の前方及び外側凹部の前方が阻止し、インソールがつま先側に移動しない。
【００１０】
また、このインソールでは、内側凸部がパンプスの内側腰裏と当接し、外側凸部がパンプスの外側腰裏と当接していることから、踵支持部の踵抜けが生じ難く、足もつま先側に移動し難い。
【００１１】
したがって、本発明のインソールでは、パンプスに用いた場合に、インソール自体がつま先側に移動し難いことから、踵支持部がその機能を好適に発揮する。また、人の足もつま先側に移動し難いことから、人は、パンプス内でつま先が窮屈になり難い。このため、このインソールでは、パンプスを履いていても、足が疲れ難いという効果を奏することができる。
【００１２】
内側凸部は踵骨被覆部の内側凹部に向かい、外側凸部は踵骨被覆部の外側凹部に向かい、それぞれ半球状に膨出していることが好ましい。この場合、内側凸部及び外側凸部は、内側凹部及び外側凹部に嵌り易い。このため、内側凹部及び外側凹部に強い締付感を与えることなく、好適にインソールが保持される。
【００１３】
本体は、踵支持部と一体をなしてつま先側に延びる延長部を有していることが好ましい。そして、踵支持部と延長部との間には、パンプス内で人の踵をつま先側で支持する支持凸部が設けられていることが好ましい。この場合、踵が支持凸部によって支持され、足がつま先側により一層移動し難い。
【００１４】
踵支持部には、人の踵を収納する収納部が形成されていることが好ましい。収納部は、穴、凹み、切欠きのいずれかでも採用することができる。この場合、踵が収納部内に収納されるため、踵がパンプス内で高くなり過ぎず、踵抜けをより防止できる。また、収納部が穴である場合には、穴より後側の部分が踵に引っ掛かり、インソールがつま先側に移動することを防止し易い。
【００１５】
本体は、踵支持部と一体をなしてつま先側に延びる延長部を有していることが好ましい。そして、延長部の先端には、足指の付け根に向かって突出する指枕部が形成されていることが好ましい。この場合、指枕部が足指の付け根における凹みに入り込むため、指枕部が足指のつま先側への滑りを防止するストッパとして機能し、足がつま先側に滑ることをより防止できる。
【００１６】
延長部には、土踏まずに向かって隆起する隆起部が形成されていることが好ましい。この場合、隆起部が土踏まずに接触して、快適な装着感を得ることができる。
【発明の効果】
【００１７】
本発明のインソールでは、パンプスに用いた場合に、インソール自体がつま先側に移動し難く、かつ人の足もつま先側に移動し難く、人が疲れ難い。
【図面の簡単な説明】
【００１８】
【図１】図１は、実施例１のインソールの平面図である。
【図２】図２は、実施例１のインソールの側面図である。
【図３】図３は、実施例１のインソールをパンプスに装着した状態を示す部分斜視図である。
【図４】図４は、実施例１のインソールをパンプスに装着した状態を示す部分斜視図である。
【図５】図５は、実施例１のインソールをパンプスに装着した状態を示す左側面図である。
【図６】図６は、実施例１のインソールをパンプスに装着した状態を示す右側面図である。
【図７】図７は、実施例２のインソールの平面図である。
【図８】図８は、実施例３のインソールの平面図である。
【発明を実施するための形態】
【００１９】
以下、本発明を具体化した実施例１〜３を図面を参照しつつ説明する。
【００２０】
（実施例１）
図１は、右足用のインソールを図示している。左足用のインソールは、右足用のインソールの勝手違いになるため、図示を省略している。以後、右足用のインソールについて、説明を行う。
【００２１】
図１に示す前後方向及び左右方向は、インソールの前後方向及び左右方向を基準としている。また、図２以降に示す前後方向、左右方向及び上下方向は、図１に対応させて表示している。
【００２２】
実施例１のインソールは、パンプスＰに用いられる。このインソールは、ＥＶＡ樹脂の成形品であり、柔軟性を有している。インソールの材質としては、ＥＶＡ樹脂以外の樹脂等を採用してもよい。
【００２３】
図１〜３に示すように、インソールは、本体１０と、内側凸部１１と、外側凸部１３とを備えている。
【００２４】
図１及び図２に示すように、本体１０は、人の足指部分を除いた足裏の形状に合わせて形成されている。図３〜６に示すように、本体１０は、パンプスＰ内に装着される。これにより、インソールは、パンプスＰの中底Ｐ１の傾斜に合わせて、中底Ｐ１と当接する。この際、インソールの裏面とパンプスＰの中底Ｐ１とを両面テープや接着剤によって接着してもよい。
【００２５】
図１及び図２に示すように、本体１０は、踵支持部２０と延長部３０とを有している。
【００２６】
図１、図５及び図６等に示すように、踵支持部２０は、人の足ＦがパンプスＰ内に入れられた際、人の踵Ｆ１を支持できるように、本体１０の後側に形成されている。踵支持部２０には、楕円形の穴２０Ａが形成されている。図２に示すように、穴２０Ａの周縁は、踵支持部２０の上面から底面に向かってテーパー状に形成されている。これにより、踵Ｆ１は、穴２０Ａに好適に収納される。穴２０Ａは、本発明の収納部に相当する。
【００２７】
図１及び図２に示すように、延長部３０は、踵支持部２０と一体をなして前側に延びている。延長部３０の先端には、指枕部３１が形成されている。指枕部３１は上側に向かって突出している。図１及び図４に示すように、指枕部３１は、延長部３０の先端形状に合わせて前側に向かって湾曲しつつ、左右方向に延びている。図５及び図６に示すように、指枕部３１は、足ＦがパンプスＰ内に入れられた際、足指Ｆ２の付け根Ｆ３に向かって突出して、付け根Ｆ３における凹みＦ４に入り込んでいる。
【００２８】
また、図１及び図２に示すように、延長部３０には、隆起部３３が形成されている。隆起部３３は、延長部３０の右側部分に形成され、上側に向かって隆起している。図１〜４に示すように、隆起部３３は、左側に向かって湾曲しつつ、前後方向に延びている。図６に示すように、隆起部３３は、足ＦがパンプスＰ内に入れられた際、土踏まずＦ５に向かって隆起し、土踏まずＦ５の形状に沿うように前後方向に延びるように形成されている。
【００２９】
図１に示すように、内側凸部１１は、本体１０と一体をなしている。内側凸部１１は、インソールをパンプスＰに装着しない状態では、本体１０から右側に延び、かつ上側に向かって半球状に膨出している。
【００３０】
図３に示すように、内側凸部１１は、インソールがパンプスＰ内に装着されると、踵支持部２０の右側部で内側に折り曲げられ、パンプスＰの内側腰裏Ｐ２と当接する。そして、内側凸部１１は、左側に向かって膨出する状態となる。図６に示すように、内側凸部１１は、足ＦがパンプスＰ内に入れられた際、踵骨被覆部Ｆ６の内側凹部Ｆ７に嵌る。なお、内側腰裏Ｐ２と内側凸部１１の裏面とを両面テープや接着剤で固定してもよい。
【００３１】
図１に示すように、外側凸部１３は、本体１０と一体をなしている。外側凸部１３は、インソールをパンプスＰに装着しない状態では、本体１０から左側に延び、かつ上側に向かって半球状に膨出している。
【００３２】
図３に示すように、外側凸部１３は、インソールがパンプスＰ内に装着されると、踵支持部２０の左側部で内側に折り曲げられ、パンプスＰの外側腰裏Ｐ３と当接する。そして、外側凸部１３は、右側に向かって膨出する状態となる。図５に示すように、外側凸部１３は、足ＦがパンプスＰ内に入れられた際、踵骨被覆部Ｆ６の外側凹部Ｆ８に嵌る。なお、外側腰裏Ｐ３と外側凸部１３の裏面とを両面テープや接着剤で固定してもよい。
【００３３】
また、このインソールでは、図１に示すように、踵支持部２０と延長部３０との間に支持凸部４１が形成されている。支持凸部４１は、図２に示すように、本体１０からやや突出しており、穴２０Ａ側が指枕部３１側よりも緩やかな傾斜面となっている。図５に示すように、支持凸部４１は、足ＦがパンプスＰ内に入れられると、穴２０Ａ側の傾斜面が水平面に近づき、踵Ｆ１をつま先側で支持する。
【００３４】
以上のように、実施例１のインソールをパンプスＰに装着して人がパンプスＰ内に足を入れれば、図３、４、６に示すように、内側凸部１１がパンプスＰの内側腰裏Ｐ２と当接しつつ、踵骨被覆部Ｆ６の内側凹部Ｆ７と当接する。また、図図３、４、５に示すように、外側凸部１３がパンプスＰの外側腰裏Ｐ３と当接しつつ、踵骨被覆部Ｆ６の外側凹部Ｆ８と当接する。このため、歩行中にインソール自体がパンプスＰの中底Ｐ１の傾斜により足Ｆと中底Ｐ１との間で滑ろうとしても、そのインソールの移動を内側凹部Ｆ７の前方及び外側凹部Ｆ８の前方が阻止し、インソールがつま先側に移動しない。
【００３５】
また、図３等に示すように、このインソールでは、内側凸部１１がパンプスＰの内側腰裏Ｐ２と当接し、外側凸部１３がパンプスＰの外側腰裏Ｐ３と当接していることから、踵支持部２０の踵抜けが生じ難く、足Ｆもつま先側に移動し難い。
【００３６】
したがって、実施例１のインソールでは、パンプスＰに用いた場合に、インソール自体がつま先側に移動し難いことから、踵支持部２０がその機能を好適に発揮する。また、足Ｆもつま先側に移動し難いことから、人は、パンプスＰ内でつま先が窮屈になり難い。このため、このインソールでは、パンプスＰを履いていても、足Ｆが疲れ難いという効果を奏することができる。
【００３７】
また、内側凸部１１及び外側凸部１３は、それぞれ半球状に膨出しているため、内側凸部１１及び外側凸部１３は、内側凹部Ｆ７及び外側凹部Ｆ８に嵌り易い。このため、内側凹部Ｆ７及び外側凹部Ｆ８に強い締付感を与えることなく、好適にインソールが保持される。
【００３８】
また、踵支持部２０と延長部３０との間に支持凸部４１が設けられているため、踵Ｆ１が支持凸部４１によって支持され、足Ｆがつま先側により一層移動し難い。
【００３９】
さらに、踵支持部２０には、踵Ｆ１を収納する穴２０Ａが形成されているため、踵Ｆ１が穴２０Ａ内に収納され、踵Ｆ１がパンプスＰ内で高くなり過ぎず、踵抜けをより防止できる。また、収納部が穴２０Ａであることから、穴２０Ａより後側の部分が踵Ｆ１に引っ掛かり、インソールがつま先側に移動することを防止し易い。
【００４０】
また、延長部３０の先端には、足指Ｆ２の付け根Ｆ３に向かって突出する指枕部３１が形成されている。このため、指枕部３１が足指Ｆ２の付け根Ｆ３における凹みＦ４に入り込むため、指枕部３１が足指Ｆ２のつま先側への滑りを防止するストッパとして機能し、足Ｆがつま先側に滑ることをより防止できる。
【００４１】
また、図６に示すように、延長部３０には、土踏まず５に向かって隆起する隆起部３３が形成されている。人は、隆起部３３が土踏まずＦ５に接触することにより、快適な装着感を得ることができる。つまり、隆起部３３は、クッションとしての機能を果たしている。
【００４２】
（実施例２）
図７に示すように、実施例２のインソールは、踵支持部２０に凹み２０Ｂが形成されている。凹む２０Ｂの周縁は、踵支持部２０の上面から底面に向かってテーパー状に形成されている。凹み２０Ｂは、本発明の収納部に相当する。その他の構成は実施例１と同様である。この場合、実施例１のような穴２０Ａの後ろ側の部分による引っかかりは生じないが、実施例１と同様の作用効果を奏する。
【００４３】
（実施例３）
図８に示すように、実施例３インソールは、踵支持部２０に切欠き２０Ｃが形成されている。切欠き２０Ｃは、半楕円形状をなして前後方向に切欠けられている。切欠き２０Ｃは、本発明の収納部に相当する。その他の構成は実施例１と同様である。この場合も、実施例１のような穴２０Ａの後ろ側の部分による引っかかりは生じないが、実施例１と同様の作用効果を奏する。
【００４４】
以上において、本発明を実施例１〜３に即して説明したが、本発明は上記実施例１〜３に制限されるものではなく、その趣旨を逸脱しない範囲で適宜変更して適用できることはいうまでもない。
【産業上の利用可能性】
【００４５】
本発明はインソールに利用可能である。
【符号の説明】
【００４６】
Ｐ…パンプス
Ｐ１…中底
Ｐ２…内側腰裏
Ｐ３…外側腰裏
Ｆ１…踵
Ｆ２…足指
Ｆ３…付け根
Ｆ５…土踏まず
Ｆ６…踵骨被覆部
Ｆ７…内側凹部
Ｆ８…外側凹部
１０…本体
１１…内側凸部
１３…外側凸部
２０…踵支持部
３０…延長部
４１…支持凸部
２０Ａ、２０Ｂ、２０Ｃ…穴、凹み、切欠き（収納部）
３１…指枕部
３３…隆起部
【図１】
2019150275.tif 000003
【図２】
2019150275.tif 000004
【図３】
2019150275.tif 000005
【図４】
2019150275.tif 000006
【図５】
2019150275.tif 000007
【図６】
2019150275.tif 000008
【図７】
2019150275.tif 000009
【図８】
2019150275.tif 000010